(57)【要約】【目的】用紙のカール・反りを矯正し、印字中のヘッドと用紙との衝突を回避することができる記録装置を提供すること。【構成】用紙に記録を行う記録ヘッドと、該記録ヘッドの直下で用紙が押し付けられるプラテンと、用紙の搬送を行うＬＦローラと、該ＬＦローラに圧接して用紙を保持する第１のピンチローラと、を備え、前記第１のピンチローラと前記ＬＦローラとで形成されるニップ位置での共通接線はプラテンの用紙押し付け面の記録領域より上流側に交差するように構成した記録装置において、前記ＬＦローラに圧接して用紙を保持し第１のピンチローラに対してＬＦ円周上の紙搬送上流側に配置された第２のピンチローラを更に備え、第２のピンチローラはプラテンの用紙押し付け面の略延長線上より上方からの用紙を引き込み可能な位置に配置され、前記ＬＦローラの径は用紙に曲げ癖を付けるのに十分な大きさであるものとする。【選択図】      図１
2004155027.tif 000002
【特許請求の範囲】
【請求項１】
用紙に記録を行う記録ヘッドと、該記録ヘッドの直下で用紙が押し付けられるプラテンと、用紙の搬送を行うＬＦローラと、該ＬＦローラに圧接して用紙を保持する第１のピンチローラと、を備え、前記第１のピンチローラと前記ＬＦローラとで形成されるニップ位置での共通接線はプラテンの用紙押し付け面の記録領域より上流側に交差するように構成した記録装置において、
前記ＬＦローラに圧接して用紙を保持し第１のピンチローラに対してＬＦ円周上の紙搬送上流側に配置された第２のピンチローラを更に備え、第２のピンチローラはプラテンの用紙押し付け面の略延長線上より上方からの用紙を引き込み可能な位置に配置され、前記ＬＦローラの径は用紙に曲げ癖を付けるのに十分な大きさであることを特徴とする記録装置。
【請求項２】
前記プラテンの下流側に排紙ローラ及び排紙アイドルローラを更に備え、排紙アイドルローラは排紙ローラとで形成されるニップ位置での共通接線はプラテンの用紙押し付け面の記録領域より下流側に交差するように構成したことを特徴とする請求項１記載の記録装置。
【発明の詳細な説明】
【０００１】
【発明の属する技術分野】
本発明は、用紙に記録を行う記録装置、特に用紙の搬送方向に対して垂直方向に記録ヘッドが移動して記録が行われるシリアル方式の記録装置に関するものである。
【０００２】
【従来の技術】
従来のインクジェットプリンタの概略の断面構成を図４に示す。
【０００３】
記録ヘッド１は、図示されていないキャリッジに搭載され、紙幅方向に往復して用紙８への記録を行う。又、記録はノズル列１ａによってインクを吐出することによって行われる。
【０００４】
用紙８は、ＬＦローラ３、ピンチローラ４、排紙ローラ６及び排紙アイドルローラ７によって矢印Ａ方向に搬送される。又、ピンチローラ４と排紙アイドルローラ７が、それぞれＬＦローラ３と排紙ローラ６に対して、記録ヘッド１側にオフセットされている。それによって、用紙８はプラテン２に押し付けられ、記録ヘッド１と用紙８との距離が規定される。
【０００５】
実際に印字が行われるときには、ＬＦローラ３及び排紙ローラ６が断続的に回転して用紙８を搬送し、用紙８が停止しているときに記録ヘッド１が紙幅方向に往復して用紙８への記録が行われる。
【０００６】
一方、インクジェットプリンタの高画質化や市場の拡大に伴い、以下の３点の機能が要求されてきている。
【０００７】
▲１▼着弾位置の高精度化
高画質印字を実現するため、インク液滴が用紙に着弾するときの位置精度を上げる必要があり、そのためには記録ヘッドと用紙の距離を出来る限り縮める必要がある。
【０００８】
▲２▼先後端余白ゼロ印刷への対応
デジカメ等で撮影した画像をプリントアウトする際、従来のＤＰＥ写真と同様な余白無しのプリントが求められている。
【０００９】
▲３▼多様化するユーザへの対応
プリンタ市場の拡大に伴い、プリンタの操作に不慣れなユーザでも容易に使用できるユーザビリティも求められている。
【００１０】
これらに対して、上記の従来技術では以下のように対応している。
【００１１】
▲１▼に対しては、ピンチローラ４と排紙アイドルローラ７とをオフセットすることによってプラテン２に用紙８を押し付け、ノズル列１ａに対向する箇所で用紙８の高さが安定するようにしている。これにより、記録ヘッドと用紙との距離を縮められる。
【００１２】
又、▲２▼に対しては、上記と同様の構成により、用紙８の先端或は後端が前述のローラ対にニップされていない状態でも、用紙８の先端或は後端がプラテンに押し付けられているため、ノズル列１ａに対向する箇所（図中Ｂ）で正確な記録を行うことができる。
【００１３】
【発明が解決しようとする課題】
しかしながら、上記の従来技術では、上記▲３▼に対して対応し切れないと共に、下記の問題があった。
【００１４】
用紙自体のカール（用紙の製造工程等による）や用紙の保存状態等により用紙の先端又は後端が上方に反っている場合、用紙の先端を印字している際に、図４及び図５の８ａ，８ｂに示すように、記録ヘッドが用紙の先端・後端と接触してしまう。それによって、用紙が汚れたり、用紙が損傷を受けて記録装置内で紙詰まりを起こすことがある。
【００１５】
これは、上述したように、記録ヘッドと用紙間の距離を可能な限り縮めてあることと、ピンチローラ及び排紙アイドルローラのオフセットによるプラテンへの用紙の押し付けだけでは、用紙の状態をコントロールし切れないことに起因する。
【００１６】
尚、用紙の反りをユーザ自身の手で矯正すれば上記問題は発生しない。しかし、操作が煩雑になると共に、プリンタの操作に不慣れなユーザが矯正操作を効果的に行えない可能性もある。
【００１７】
本発明は上記問題に鑑みてなされたもので、その目的とする処は、用紙のカール・反りを矯正し、印字中のヘッドと用紙との衝突を回避することができる記録装置を提供することにある。
【００１８】
【課題を解決するための手段】
上記課題を解決するため、本発明においては、従来の記録領域側にオフセット配置されたピンチローラに対して、ＬＦ円周上の紙搬送上流側に、第２のピンチローラを更に備えている。これによって、２つのピンチローラ間で用紙がＬＦローラに密着し、用紙の先端に上カールがあった場合でも用紙の反りが矯正され、上記の課題が解決できる。
【００１９】
又、更に排紙ローラと排紙アイドルローラを配置されており、排紙アイドルローラが印字領域側にオフセットしてある場合には、用紙後端に余白を残すことなく印字が可能になると共に、用紙後端が上方向に反っていた場合にも、用紙後端の反りを矯正し、上記の課題が解決できる。
【００２０】
【発明の実施の形態】
以下に本発明の実施の形態を図１を参照して説明する。
【００２１】
記録ヘッド１は、図示されていないキャリッジに搭載され、紙幅方向に往復して用紙８への記録を行う。又、記録はノズル列１ａによってインクを吐出することによって行われる。
【００２２】
用紙８は、ＬＦローラ３、第１ピンチローラ４、第２ピンチローラ５、排紙ローラ６及び排紙アイドルローラ７とによって矢印Ａ方向に搬送される。又、第１ピンチローラ４と排紙アイドルローラ７が、それぞれＬＦローラ３と排紙ローラ６に対して、記録ヘッド１側にオフセットされている。それによって、用紙８はプラテン２に押し付けられ、記録ヘッド１と用紙８との距離が規定される。尚、第２ピンチローラ５が、本発明の特徴となる構成である。
【００２３】
実際に印字が行われるときには、ＬＦローラ３及び排紙ローラ６が断続的に回転して用紙８を搬送し、用紙８が停止しているときに記録ヘッド１が紙幅方向に往復して用紙８への記録が行われる。
【００２４】
次に、本発明の特徴である第２ピンチローラ５の効果について、実際の記録動作を例に、図１〜図３を参照して説明する。
【００２５】
先ず、矢印Ａ方向から図示されていない給紙手段から用紙８が搬送されてくる。用紙８の先端は、用紙ガイド（不図示）によって、ＬＦローラ３と第２ピンチローラ５とのニップに導かれる。用紙８の先端がニップに突き当たると、ＬＦローラ３が図示されていない駆動モータが回転を始め、用紙８の先端はＬＦローラ３と第２ピンチローラ５とのニップに引き込まれる。尚、第１ピンチローラ４と第２ピンチローラ５はＬＦローラ３に従動して回転する。
【００２６】
引き続き、ＬＦローラ３が回転を続けると、用紙８の先端はガイド部材９の下端にガイドされながら移動し、第１ピンチローラ４とＬＦローラ３とのニップに引き込まれる。このとき、第１ピンチローラ４と第２ピンチローラ５との間では、ＬＦローラ３に用紙８が巻き付くことになり、ＬＦローラ３の外周半径に沿って用紙８に曲がり癖が付けられる。これによって、用紙８の先端が上方に反っていたとしても、それがＬＦローラ３の外周によって矯正され、用紙８の先端は下方向にカールする。
【００２７】
更に、ＬＦローラ３が回転を続けると、用紙８の先端がプラテン２上の記録領域Ｂに到達する。この状態では、第１ピンチローラ４とＬＦローラ３との接線の延長線がプラテン２の上面と交差しているため、用紙先端部８ａの下方向へのカールはキャンセルされ、用紙先端部８ａはプラテン２の上面に密着する（図２参照）。この状態でヘッド１がスキャンして印字が行われれば、ヘッド１と用紙先端部８ａが衝突することはなくなる。
【００２８】
その後、ヘッド１のスキャン動作とＬＦローラ３の断続回転との組み合わせで印字が行われる。
【００２９】
次に、用紙８の後端が記録領域Ｂに到達したときの状態を図３に基づいて説明する。
【００３０】
この状態では、排紙アイドルローラ７が排紙ローラ６に対して、記録領域Ｂ方向にオフセットしている。そのため、記録紙後端８ｂが上方に反っていたとしても、前述した先端印字のときと同様に、用紙後端部８ｂはプラテン２の上面に密着する。
【００３１】
以上説明した構成により、上記した課題を解決した記録装置を提供することができる。
【００３２】
次に、本発明を適用した他の実施の形態について説明する。
【００３３】
上記実施の形態においては、排紙ローラ及び排紙アイドルローラを設けることにより、用紙の後端までの印字が可能になっているが、排紙ローラ及び排紙アイドルローラを省略することも可能である。
【００３４】
この場合は、用紙の後端に余白が残ってしまうが、記録装置の大幅なコストダウンが可能になる。尚、この場合でも、後端に残る余白分を延ばしてミシン目で切り取りができる用紙を使って印刷を行えば、余白無しの印刷を行うことができる。
【００３５】
【発明の効果】
以上の説明で明らかなように、本発明によれば、ユーザが特別な操作を行うことなく、用紙のカールをや反りを矯正できるので、先端印字時のヘッド擦れが回避でき、簡単な操作で高品質な記録を行うことができる。
【００３６】
又、本発明によれば、用紙後端を印字する際にも同様にヘッド擦れが回避でき、高品質な記録を行うことができるとともに、用紙の後端も含めた４辺をフチ無し印字することが可能になる。
【図面の簡単な説明】
【図１】本発明を適用した記録装置の概略断面図である。
【図２】本発明を適用した記録装置の概略断面図（用紙先端部印字時）である。
【図３】本発明を適用した記録装置の概略断面図（用紙後端部印字時）である。
【図４】従来技術で用紙先端部に印字を行うときの概略断面図である。
【図５】従来技術で用紙後端部に印字を行うときの概略断面図である。
【符号の説明】
１        記録ヘッド
１ａ      ノズル列
２        プラテン
３        ＬＦローラ
４        第１ピンチローラ
５        第２ピンチローラ
６        排紙ローラ
７        排紙アイドルローラ
８        用紙
８ａ      用紙先端部
８ｂ      用紙後端部
９        ガイド部材
Ａ        用紙搬送方向
Ｂ        記録領域
【図１】
2004155027.tif 000003
【図２】
2004155027.tif 000004
【図３】
2004155027.tif 000005
【図４】
2004155027.tif 000006
【図５】
2004155027.tif 000007